(57)【要約】【課題】系列間で切替タイミングが異なる複数系統のＴＳが入力された場合でも、出力タイミングを合わせて送出し得るＴＳ切替処理装置を提供する。【解決手段】切替管理部１２１において、入力切替器で切り替えられたＴＳについて上位制御装置１４から遅延有りの切替制御を受けた場合に、入力ＴＳを遅延用バッファ１２３に一時保持しておくように遅延有無判断部１２２に指示を送り、この遅延用バッファ１２３にＴＳを保存している間に、切替制御入力タイミングから基準編成時刻による切替時刻までの遅延時間を求め、この遅延時間経過後に遅延用バッファ１２３からＴＳを読み出して出力用バッファ１２４に転送することで、基準編成時刻による切替時刻に合わせるようにしている。【選択図】      図２
2008078920.tif 000002
【特許請求の範囲】
【請求項１】
系列間で基準編成時刻に対する入力・出力の切替タイミングが異なる複数系統のＴＳ(Transport Stream)を受信し系統切替部にて選択的に切り替えて送出処理を実行するＴＳ切替処理装置において、
前記系統切替部で切り替えられる送出系統のＴＳを一時保持するバッファと、
前記系統切替部で切り替えられる送出系統のＴＳの前記系統切替部への切替指示入力タイミングから前記基準編成時刻による切替時刻までの時間相当分の遅延時間を求める遅延時間演算手段と、
この遅延時間演算手段により求められた前記遅延時間経過後に前記バッファから前記ＴＳを読み出して出力する制御手段とを具備したことを特徴とするＴＳ切替処理装置。
【請求項２】
前記バッファの前段に設けられ、前記遅延時間演算手段により求められる遅延時間から遅延の有無を判定し、遅延がある場合に、前記ＴＳを前記バッファに保持し、遅延が無い場合に、前記バッファをバイパスして前記ＴＳを出力するＴＳ出力制御手段をさらに備えたことを特徴とする請求項１記載のＴＳ切替処理装置。
【請求項３】
系列間で基準編成時刻に対する入力・出力の切替タイミングが異なる複数系統のＴＳ(Transport Stream)を受信し系統切替部にて選択的に切り替えて送出処理を実行するＴＳ切替処理方法において、
前記系統切替部で切り替えられる送出系統のＴＳの前記系統切替部への切替指示入力タイミングから前記基準編成時刻による切替時刻までの時間相当分の遅延時間を求め、
前記系統切替部で切り替えられる送出系統のＴＳをバッファに保持し、前記遅延時間経過後に前記バッファから前記ＴＳを読み出して出力することを特徴とするＴＳ切替処理方法。
【発明の詳細な説明】
【技術分野】
【０００１】
この発明は、系列間で基準編成時刻に対する入力・出力の切替タイミングが異なる複数系統のＴＳ(Transport Stream)を受信し選択的に切り替えて送出処理を実行するＴＳ切替処理装置及びＴＳ切替処理方法に関する。
【背景技術】
【０００２】
地上波の放送システムにあっては、ネット送り局及びネット受け局を中継回線により結ぶネット受信放送システムが構築されている。このネット受け局では、中継回線で受信したＴＳを特定の放送サービスエリアに向けて再度送信している。このネット受け局には、クロスネット局と呼ばれる複数の系列に属する局があり、当該局にて複数系統のＴＳを選択的に切り替えて放送サービスエリアに向けて送信している。
【０００３】
ところで、上記クロスネット局では、系列間で基準編成時刻に対する入力・出力の切替タイミングが異なる複数系統のＴＳが入力される場合もあり、系統切替時にＴＳの出力タイミングがずれてしまうことになる。すると、切替出力の信号品質が劣化してしまう。
【０００４】
なお、従来では、ネット受け局において、中継回線で受信したＴＳと自局のＴＳとを切り替えて送出する際に、切替タイミングを合わせる手法が考えられている（例えば、特許文献１）。
【特許文献１】特開２００２−２８１３４１号公報
【発明の開示】
【発明が解決しようとする課題】
【０００５】
ところが、上記手法は、中継回線で受信したＴＳと自局のＴＳとを切り替えて送出する際に生じるタイミングずれを合わせるものであり、系列間で基準編成時刻に対する入力・出力の切替タイミングが異なる複数系統のＴＳを切り替える際に生じるタイミングのずれを合わせるものではない。
【０００６】
そこで、この発明の目的は、系列間で切替タイミングが異なる複数系統のＴＳが入力された場合でも、出力タイミングを合わせて送出し得るＴＳ切替処理装置及びＴＳ切替処理方法を提供することにある。
【課題を解決するための手段】
【０００７】
上記目的を達成するために、この発明に係わるＴＳ切替処理装置は、系列間で基準編成時刻に対する入力・出力の切替タイミングが異なる複数系統のＴＳ(Transport Stream)を受信し系統切替部にて選択的に切り替えて送出処理を実行するＴＳ切替処理装置において、系統切替部で切り替えられる送出系統のＴＳを一時保持するバッファと、系統切替部で切り替えられる送出系統のＴＳの系統切替部への切替指示入力タイミングから基準編成時刻による切替時刻までの時間相当分の遅延時間を求める遅延時間演算手段と、この遅延時間演算手段により求められた遅延時間経過後にバッファからＴＳを読み出して出力する制御手段とを備えるようにしたものである。
【０００８】
この構成によれば、系統切替部で切り替えられたＴＳをバッファに一時保持しておき、このバッファにＴＳを保持している間に、系統切替部で切り替えられる送出系統のＴＳの系統切替部への切替指示入力タイミングから基準編成時刻による切替時刻までの遅延時間を求め、この遅延時間経過後にバッファからＴＳを読み出して基準編成時刻による切替時刻に合わせるようにしている。
【０００９】
従って、系列間で切替タイミングが異なる複数系統のＴＳが入力された場合でも、基準編成時刻による切替時刻に合わせて送出することができる。また、同期が不確定な複数系統のＴＳが入力された場合にも、対応可能となる。
【００１０】
バッファの前段に設けられ、遅延時間演算手段により求められる遅延時間から遅延の有無を判定し、遅延がある場合に、ＴＳをバッファに保持し、遅延が無い場合に、バッファをバイパスしてＴＳを出力するＴＳ出力制御手段をさらに備えたことを特徴とする。
【００１１】
この構成によれば、遅延の有無を判定することで、遅延のある系統のＴＳについてはバッファに保持して遅延時間経過後に出力し、一方遅延のない系統のＴＳについてはバッファをバイパスして出力するというように、系統ごとに最適な送出処理を行うことができる。
【発明の効果】
【００１２】
以上詳述したようにこの発明によれば、系列間で切替タイミングが異なる複数系統のＴＳが入力された場合でも、出力タイミングを合わせて送出し得るＴＳ切替処理装置及びＴＳ切替処理方法を提供することができる。
【発明を実施するための最良の形態】
【００１３】
以下、この発明の実施形態について図面を参照して詳細に説明する。
【００１４】
図１は、この発明のＴＳ切替処理装置が適用されるネット受信放送システムの概略構成図である。  
図１において、ＡＳはＡ系列局、ＢＳはＡ系列局ＡＳ以外のＢ系列局、ＫＳはクロスネット局を示している。なお、同図では説明を簡単にするため、２つのＡ系列局ＡＳ及びＢ系列局ＢＳのみを示している。
【００１５】
Ａ系列局ＡＳは、ＴＳ＃０を自局が属する放送サービスエリアに向けて送出する。また、Ａ系列局ＡＳには、放送中継ネットワークＮＷを介してＢ系列局ＢＳ及びクロスネット局ＫＳが接続される。Ｂ系列局ＢＳは、ＴＳ＃１を自局が属する放送サービスエリアに向けて送出する。
【００１６】
クロスネット局ＫＳは、Ａ系列局ＡＳから放送中継ネットワークＮＷを介して伝送されたＴＳ＃０とＢ系列局ＢＳから放送中継ネットワークＮＷを介して伝送されたＴＳ＃１とを入力切替器１１により切り替えて、この切替ＴＳを遅延制御装置１２を介して送出設備１３にて所定の送出処理を施した後、自局が属する放送サービスエリアに向けて送出する。なお、入力切替器１１及び遅延制御装置１２は、上位制御装置１４により制御される。
【００１７】
図２は、この発明の一実施形態として、上記遅延制御装置１２の要部構成を示すブロック図である。
【００１８】
図２において、符号１２１は切替管理部で、上位制御装置１４より切替制御信号を−ｎ秒に受けると、−ｎ秒〜０秒までの間に入力されたＴＳを遅延させるように遅延有無判断部１２２に指示を行う。そして、遅延有り時にＴＳが入力された場合に、遅延有無判断部１２２は遅延用バッファ１２３に入力ＴＳを一時保存する。
【００１９】
そして、切替管理部１２１は、出力タイミング（基準編成時刻による切替時刻０秒）になると、遅延用バッファ１２３へ出力タイミング指示を送出し、遅延用バッファ１２３から入力ＴＳを読み出し、出力用バッファ１２４に出力する。
【００２０】
一方、遅延無し時にＴＳが入力された場合に、遅延有無判断部１２２は入力ＴＳを出力用バッファ１２４に転送する。出力用バッファ１２４は、遅延用バッファ１２３または遅延有無判断部１２２から転送されるＴＳを格納し、適宜出力する。
【００２１】
次に、上記構成による運用動作について図３及び図４を参照して説明する。
【００２２】
Ａ系列局ＡＳとＢ系列局ＢＳとの間では、以下に示すように、基準編成時刻に対してＴＳの切替タイミングが異なる場合がある。  
Ａ系列：切替時刻−１秒にＴＳが切り替わる  
Ｂ系列：切替時刻０秒にＴＳが切り替わる
クロスネット局ＫＳと呼ばれる複数の系列に属する局では、これら切替タイミングが異なるＴＳが入力される可能性がある。Ａ系列のＴＳ＃０が入力された場合には、遅延制御装置１２内部で遅延させ出力タイミングを管理する必要がある。
【００２３】
（時刻−１秒に切り替わるＴＳへの処理）  
図３は、時刻−１秒に切り替わるＡ系列のＴＳに対しての動作を示すタイミング図である。
【００２４】
すなわち、切替管理部１２１は、上位制御装置１４からの切替制御を切替時刻の−ｎ秒に受け、切替時刻０秒まで遅延制御装置１２へのＴＳの入力を監視する。そして、ＴＳが入力された場合に、遅延用バッファ１２３により遅延させる。
【００２５】
以後、切替時刻０秒になった時点で、切替管理部１２１は遅延用バッファ１２３に格納されたＴＳを読み出し、出力用バッファ１２４に転送する。これで出力用バッファ１２４からＴＳが出力される。
【００２６】
（時刻０秒に切り替わるＴＳへの処理）  
図４は、時刻０秒に切り替わるＢ系列のＴＳに対しての動作を示すタイミング図である。
【００２７】
すなわち、遅延有無判断部１２２は、ＴＳの入力を検出した時点で、入力ＴＳを直ちに出力用バッファ１２４に転送する。これで出力用バッファ１２４からＴＳが出力される。
【００２８】
以上のように上記実施形態では、切替管理部１２１において、入力切替器１１で切り替えられたＴＳについて上位制御装置１４から遅延有りの切替制御を受けた場合に、入力ＴＳを遅延用バッファ１２３に一時保持しておくように遅延有無判断部１２２に指示を送り、この遅延用バッファ１２３にＴＳを保存している間に、切替制御入力タイミングから基準編成時刻による切替時刻までの遅延時間を求め、この遅延時間経過後に遅延用バッファ１２３からＴＳを読み出して出力用バッファ１２４に転送することで、基準編成時刻による切替時刻に合わせるようにしている。
【００２９】
従って、系列間で切替タイミングが異なる複数系統のＴＳが入力された場合でも、基準編成時刻による切替時刻に合わせて送出することができる。また、同期が不確定な複数系統のＴＳが入力された場合にも、対応可能となる。
【００３０】
また、上記実施形態では、遅延有無判断部１２２により入力切替器１１で切り替えられたＴＳの遅延の有無を判定することで、遅延のある系列のＴＳについては遅延用バッファ１２３に保持して遅延時間経過後に出力し、一方遅延のない系列のＴＳについては遅延用バッファ１２３をバイパスして出力するというように、系列ごとに最適な送出処理を行うことができる。
【００３１】
なお、上記実施形態では、クロスネット局ＫＳのＴＳ受信系統を２系統としたが、さらに系統数を増加しても同様に実施可能である。
【００３２】
その他、システム構成、クロスネット局の構成、遅延制御装置の構成、取り扱うＴＳの種類、ＴＳの出力処理手順等についても、この発明の要旨を逸脱しない範囲で種々変形して実施できる。
【図面の簡単な説明】
【００３３】
【図１】この発明のＴＳ切替処理装置が適用されるネット受信放送システムの概略構成図。
【図２】この発明の一実施形態としての遅延制御装置の要部構成を示すブロック図。
【図３】同実施形態において、時刻−１秒に切り替わるＡ系列のＴＳに対しての動作を示すタイミング図。
【図４】同実施形態において、時刻０秒に切り替わるＢ系列のＴＳに対しての動作を示すタイミング図。
【符号の説明】
【００３４】
１１…入力切替器、１２…遅延制御装置、１３…送出設備、１４…上位制御装置、１２１…切替管理部、１２２…遅延有無判断部、１２３…遅延用バッファ、１２４…出力用バッファ、ＡＳ…Ａ系列局、ＢＳ…Ｂ系列局、ＫＳ…クロスネット局、ＮＷ…放送中継ネットワーク。
【図１】
2008078920.tif 000003
【図２】
2008078920.tif 000004
【図３】
2008078920.tif 000005
【図４】
2008078920.tif 000006